(57)【特許請求の範囲】
【請求項１】
断面凹溝状に形成した下側樋部材と、当該下側樋部材の上方に配置する上側樋部材と、を備え、
建物の軒端に配置し、且つ隣り合う前記下側樋部材同士を、前記下側樋部材の外形輪郭に倣う形状に形成した連結部材で連結して形成する軒樋であって、
前記下側樋部材は、前記建物の外周面側に取り付ける下側樋部材後面部と、当該下側樋部材後面部の下端側に連続する下側樋部材底面部と、当該下側樋部材底面部に連続し、且つ前記下側樋部材後面部よりも前記建物の外周面から離間する下側樋部材前面部と、を備え、
前記上側樋部材は、前記下側樋部材後面部及び前記建物のうち少なくとも一方に取り付ける取付け部と、当該取付け部から前記下側樋部材前面部へ向けて延在する延在部と、を備え、
前記下側樋部材前面部と前記延在部との間に空隙部を形成し、
前記延在部は、前記下側樋部材前面部と対向する位置に、前記下側樋部材後面部側へオフセットする断面凹溝状に形成した延在部側嵌合部を有し、
前記連結部材は、前記下側樋部材の外形輪郭に倣う形状に形成し、且つ前記下側樋部材前面部と接触する本体部側前面部を備えた本体部と、前記本体部側前面部から前記下側樋部材後面部側へ突出し、且つ前記延在部側嵌合部と嵌合して、前記延在部と前記本体部とを嵌合させる係合部と、を備えることを特徴とする軒樋。
【請求項２】
前記上側樋部材は、前記下側樋部材前面部側から見て、前記軒端上に敷設した屋根材の端部を覆う屋根材被覆部を備えることを特徴とする請求項１に記載した軒樋。
【請求項３】
前記軒端を、軒先側の軒端とけらば側の軒端とが交互に連続する切妻屋根の軒端とし、
前記上側樋部材を、前記軒先側の軒端に配置する軒先上側樋部材と、前記けらば側の軒端に配置するけらば上側樋部材と、に区分し、
前記屋根材被覆部は、前記軒先上側樋部材及び前記けらば上側樋部材のうち、前記けらば上側樋部材のみが備えることを特徴とする請求項２に記載した軒樋。
【請求項４】
前記連結部材は、隣り合う前記下側樋部材にそれぞれ固定する二箇所の固定部と、当該二箇所の固定部同士を連結し、且つ少なくとも前記二箇所の固定部の配列方向に伸縮する伸縮部と、を備えることを特徴とする請求項１から３のうちいずれか１項に記載した軒樋。
【請求項５】
前記下側樋部材前面部側及び前記下側樋部材底面部側から見て、前記連結部材及び当該連結部材が連結する前記下側樋部材の連結部材側の端部を覆う下側樋部材被覆部を備えることを特徴とする請求項１から４のうちいずれか１項に記載した軒樋。
【発明の詳細な説明】
【技術分野】
【０００１】
本発明は、例えば、家屋等の建物に備える軒樋、及び連結部材により連結して軒樋を構成する軒樋ユニットに関する。
【背景技術】
【０００２】
従来から、建物の屋根に降った雨水の大分部を、地面に落下させることなく集水する軒樋として、例えば、特許文献１に記載されているような軒樋が提案されている。
特許文献１に記載されている軒樋は、図８から図１０に示すように、隣り合う軒樋ユニット２同士を、連結部材４を用いて連結することにより構成している。なお、図８は、従来例の軒樋及び軒樋ユニットを示す斜視図であり、図９は、従来例の軒樋を示す斜視図である。また、図１０は、図９のＸ−Ｘ線断面図である。
【０００３】
また、軒樋ユニット２は、建物の外壁面側に配置しており、軒樋ユニット側後面部２ａと、軒樋ユニット側底面部２ｂと、軒樋ユニット側前面部２ｃとを備えている。
軒樋ユニット側後面部２ａは、建物の外壁面側に取り付けてある。軒樋ユニット側底面部２ｂは、軒樋ユニット側後面部２ａの下端側に連続させて形成している。軒樋ユニット側前面部２ｃは、軒樋ユニット側底面部２ｂに連続させて形成するとともに、軒樋ユニット側後面部２ａよりも建物の外壁面から離間させている。
【０００４】
したがって、軒樋ユニット側後面部２ａと軒樋ユニット側前面部２ｃとの間には、空隙部７４を形成している。空隙部７４の開口面積は、軒樋ユニット側底面部２ｂの面積に近い。
軒樋ユニット側前面部２ｃの上部には、軒樋ユニット側後面部２ａ側に傾斜した軒樋ユニット側傾斜部２ｄを形成している。軒樋ユニット側傾斜部２ｄの表面には、軒樋ユニット２の長手方向に沿って連続する複数のヘアーライン９６を並設している。各ヘアーライン９６は、高さ１ｍｍ程度の凸条から形成している。
【０００５】
軒樋ユニット側前面部２ｃの下部には、前上方に開口し、軒樋ユニット２の長手方向に沿って延在する凹部９８を形成している。
連結部材４は、外側部材４Ａと、内側部材４Ｂとから構成しており、軒樋ユニット２の外側から外側部材４Ａを嵌着するとともに、外側部材４Ａと内側部材４Ｂで軒樋ユニット２を挟み込むことにより、隣り合う軒樋ユニット２同士を連結している。連結部材４によって、隣り合う軒樋ユニット２同士を連結すると、凹部９８と外側部材４Ａの内面との間に、集水用の間隙部を形成することとなる。
【０００６】
このような構成の軒樋１であれば、屋根に降った雨水が流れる速度を、ヘアーライン９６を乗り越えさせて減少させることが可能となるため、凹部９８の中に集水する雨水の割合を増加させることが可能となる。このため、凹部９８の中に集水されないまま、凹部９８を乗り越えて地表面に直接落下する雨水の割合を、減少させることが可能となる。
【特許文献１】特許第３２６５９４９号公報（図１）
【発明の開示】
【発明が解決しようとする課題】
【０００７】
しかしながら、特許文献１に記載されているような軒樋では、軒樋ユニット側後面部と軒樋ユニット側前面部との間に空隙部を形成しており、軒樋ユニット側底面部の上方に、軒樋ユニット側底面部の面積に近い、広い開口面積を有する空隙部を形成している。
このため、落ち葉等の異物が、軒樋ユニット側後面部と軒樋ユニット側前面部との間に形成した空隙部から、軒樋の内部へ侵入するおそれがあり、軒樋の内部における、雨水の円滑な移動が阻害されるという問題が生じるおそれがある。
本発明は、上述したような問題点に着目してなされたもので、軒樋内部への、異物の侵入を抑制することが可能となるとともに、軒樋の内部における雨水の円滑な移動が可能な、軒樋ユニット及び軒樋を提供することを課題とする。
【課題を解決するための手段】
【０００８】
前記課題を解決するために、本発明のうち、請求項１に記載した発明は、断面凹溝状に形成した下側樋部材と、当該下側樋部材の上方に配置する上側樋部材と、を備え、
建物の軒端に配置し、且つ隣り合う前記下側樋部材同士を、前記下側樋部材の外形輪郭に倣う形状に形成した連結部材で連結して形成する軒樋であって、
前記下側樋部材は、前記建物の外周面側に取り付ける下側樋部材後面部と、当該下側樋部材後面部の下端側に連続する下側樋部材底面部と、当該下側樋部材底面部に連続し、且つ前記下側樋部材後面部よりも前記建物の外周面から離間する下側樋部材前面部と、を備え、
前記上側樋部材は、前記下側樋部材後面部及び前記建物のうち少なくとも一方に取り付ける取付け部と、当該取付け部から前記下側樋部材前面部へ向けて延在する延在部と、を備え、
前記下側樋部材前面部と前記延在部との間に空隙部を形成し、
前記延在部は、前記下側樋部材前面部と対向する位置に、前記下側樋部材後面部側へオフセットする断面凹溝状に形成した延在部側嵌合部を有し、
前記連結部材は、前記下側樋部材の外形輪郭に倣う形状に形成し、且つ前記下側樋部材前面部と接触する本体部側前面部を備えた本体部と、前記本体部側前面部から前記下側樋部材後面部側へ突出し、且つ前記延在部側嵌合部と嵌合して、前記延在部と前記本体部とを嵌合させる係合部と、を備えることを特徴とするものである。
【０００９】
本発明によれば、下側樋部材の上方に配置する上側樋部材が、下側樋部材後面部及び建物のうち少なくとも一方に取り付ける取付け部と、取付け部から下側樋部材前面部へ向けて延在する延在部とを備えている。また、下側樋部材前面部と延在部との間に、空隙部を形成する。
このため、下側樋部材後面部と下側樋部材前面部との間の隙間を、延在部によって減少させることが可能となるとともに、延在部を流れる雨水を、空隙部から下側樋部材の内部へ流入させることが可能となる。
また、本発明によれば、軒樋ユニットの構成を、断面凹溝状に形成した下側樋部材と、下側樋部材の上方に配置する上側樋部材とを備える構成とするため、下側樋部材及び上側樋部材の形状を簡略化することが可能となる。
【００１０】
次に、請求項２に記載した発明は、請求項１に記載した発明であって、前記上側樋部材は、前記下側樋部材前面部側から見て、前記軒端上に敷設した屋根材の端部を覆う屋根材被覆部を備えることを特徴とするものである。
本発明によれば、上側樋部材が、下側樋部材前面部側から見て、建物の軒端上に敷設した屋根材の端部を覆う、屋根材被覆部を備える。
このため、屋根材被覆部によって屋根材の端部を隠すことが可能となり、屋根材被覆部を化粧部材として用いることが可能となるため、軒樋ユニットを含めた屋根全体の外観意匠性を向上させることが可能となる。
【００１１】
次に、請求項３に記載した発明は、請求項２に記載した発明であって、前記軒端を、軒先側の軒端とけらば側の軒端とが交互に連続する切妻屋根の軒端とし、
前記上側樋部材を、前記軒先側の軒端に配置する軒先上側樋部材と、前記けらば側の軒端に配置するけらば上側樋部材と、に区分し、
前記屋根材被覆部は、前記軒先上側樋部材及び前記けらば上側樋部材のうち、前記けらば上側樋部材のみが備えることを特徴とするものである。
【００１２】
本発明によれば、軒端を、軒先側の軒端及び、けらば側の軒端を備える切妻屋根の軒端とし、屋根材被覆部を、軒先側の軒端に配置する軒先上側樋部材、及びけらば側の軒端に配置するけらば上側樋部材のうち、けらば上側樋部材のみに備える。
このため、切妻屋根が備える軒先側の軒端及びけらば側の軒端のうち、屋根材の端部が、軒先側の軒端よりも外部から目視されるけらば側の軒端上に敷設した屋根材の端部を、屋根材被覆部により隠すことが可能となる。これにより、軒樋ユニットを含めた屋根全体の外観意匠性を向上させることが可能となる。また、軒先上側樋部材及びけらば上側樋部材の両方に屋根材被覆部を備える場合と比較して、軒樋ユニットの製造コストを低減することが可能となるとともに、軒樋ユニットの製造効率を向上させることが可能となる。
【００１３】
次に、請求項４に記載した発明は、請求項１から３のうちいずれか１項に記載した発明であって、
前記連結部材は、隣り合う前記下側樋部材にそれぞれ固定する二箇所の固定部と、当該二箇所の固定部同士を連結し、且つ少なくとも前記二箇所の固定部の配列方向に伸縮する伸縮部と、を備えることを特徴とするものである。
【００１４】
本発明によれば、隣り合う下側樋部材同士を連結して軒樋を形成する連結部材が、隣り合う下側樋部材にそれぞれ固定する二箇所の固定部と、二箇所の固定部同士を連結し、且つ少なくとも二箇所の固定部の配列方向に伸縮する伸縮部とを備える。
このため、下側樋部材を、アルミ等の伸縮性を有する材料で形成している場合に、加熱等により下側樋部材が昇温し、下側樋部材が長さ方向へ伸縮しても、伸縮部の伸縮によって、下側樋部材の伸縮を吸収することが可能となる。
【００１５】
次に、請求項５に記載した発明は、請求項１から４のうちいずれか１項に記載した発明であって、前記下側樋部材前面部側及び前記下側樋部材底面部側から見て、前記連結部材及び当該連結部材が連結する前記下側樋部材の連結部材側の端部を覆う下側樋部材被覆部を備えることを特徴とするものである。
本発明によれば、下側樋部材前面部側及び下側樋部材底面部側から見て、連結部材、及びこの連結部材が連結する下側樋部材の連結部材側の端部を覆う、下側樋部材被覆部を備える。
【００１６】
このため、伸縮部が伸縮して、隣り合う下側樋部材同士の間に隙間が形成されても、この隙間を下側樋部材被覆部によって隠すことが可能となる。また、下側樋部材と固定部との間に、溶接跡等、外観上好ましくない部位を形成している場合であっても、この部位を下側樋部材被覆部によって隠すことが可能となる。これにより、軒樋ユニット及び軒樋を含めた、屋根全体の外観意匠性を向上させることが可能となる。
【発明の効果】
【００１７】
本発明によれば、上側樋部材が備える延在部により、軒樋の内部への、異物の侵入を抑制することが可能となるとともに、延在部を流れる雨水を、空隙部から下側樋部材の内部へ流入させることが可能となる。このため、軒樋の内部において、液体を円滑に移動させることが可能となる。
また、本発明によれば、軒樋ユニットの構成を、断面凹溝状に形成した下側樋部材と、下側樋部材の上方に配置する上側樋部材とを備える構成とするため、下側樋部材及び上側樋部材の形状を簡略化することが可能となる。このため、軒樋ユニットの製造工程を簡略化することが可能となる。
【発明を実施するための最良の形態】
【００１８】
以下、本発明の実施形態（以下、「本実施形態」と記載する）について、図面を参照しつつ説明する。
（構成）
以下、図１から図７を用いて、本実施形態の構成を説明する。
まず、図１を参照して、軒樋１の全体的な構成を説明する。
図１は、本実施形態の軒樋ユニット２を連結部材４で連結して形成する軒樋１を、建物６の軒端に配置した状態を示す図である。なお、本実施形態では、建物６を、地表面に対して傾斜させた屋根８を有する家屋とした場合を例にあげて説明する。
図１中に示すように、建物６が有する屋根８は、地表面に対して傾斜させた板状部材を組み合わせて形成した、切妻屋根である。したがって、建物６の軒端を、軒先側の軒端と、けらば側の軒端とが交互に連続する、切妻屋根の軒端とする。また、屋根８の上面には、複数の屋根材１０を敷設してある。
【００１９】
軒樋１は、建物６の軒端、すなわち、軒先側の軒端及びけらば側の軒端に、それぞれ、配置してある。なお、図中及び以降の説明では、軒先側の軒端（以下、「軒先側軒端１２」と記載する）に配置した軒樋１を、軒先側軒樋１４と記載し、けらば側軒端（以下、「けらば側軒端１６」と記載する）に配置した軒樋１を、けらば側軒樋１８と記載する。
【００２０】
軒先側軒樋１４は、隣り合う複数の軒先側軒樋ユニット２０同士を、両者の間に配置する連結部材４で連結して形成する。なお、図中及び以降の説明では、軒先側軒樋１４のうち、隣り合う三つの軒先側軒樋ユニット２０ａ〜２０ｃ同士を、二つの連結部材４ａ，４ｂで連結して形成した部分について説明する。また、図中及び以降の説明では、三つの軒先側軒樋ユニット２０ａ〜２０ｃを、図１中の左側から、軒先側軒樋ユニット２０ａ，軒先側軒樋ユニット２０ｂ，軒先側軒樋ユニット２０ｃと記載する。また、図中及び以降の説明では、二つの連結部材４ａ，４ｂを、図１中の左側から、連結部材４ａ，連結部材４ｂと記載する。
【００２１】
けらば側軒樋１８は、隣り合う二つのけらば側軒樋ユニット２２同士を、一つの連結部材４で連結して形成する。なお、図中及び以降の説明では、二つのけらば側軒樋ユニット２２を、図１中の上側から、けらば側軒樋ユニット２２ａ，けらば側軒樋ユニット２２ｂと記載する。また、図中及び以降の説明では、隣り合うけらば側軒樋ユニット２２ａとけらば側軒樋ユニット２２ｂ同士を連結する連結部材４を、連結部材４ｃと記載する。
【００２２】
軒先側軒樋１４とけらば側軒樋１８は、屋根８の隅部、すなわち、軒先側軒端１２とけらば側軒端１６との交点を中心に、隅部軒樋ユニット２４を介して連結してある。
隅部軒樋ユニット２４は、直角または略直角に形成してある。隅部軒樋ユニット２４の軒先側の端部には、軒先側軒樋１４を連結してある。一方、隅部軒樋ユニット２４のけらば側の端部には、けらば側軒樋１８を連結してある。
【００２３】
軒先側軒樋１４と隅部軒樋ユニット２４、具体的には、軒先側軒樋ユニット２０ｃと隅部軒樋ユニット２４とは、連結部材４ｄを介して連結させてある。
けらば側軒端１６と隅部軒樋ユニット２４、具体的には、けらば側軒樋ユニット２２ｂと隅部軒樋ユニット２４とは、連結部材４ｅを介して連結させてある。
隅部軒樋ユニット２４の外周側には、接着により、下側樋部材被覆部２６を取り付けてある。下側樋部材被覆部２６は、隅部軒樋ユニット２４と同様、直角または略直角に形成してある。
また、隅部軒樋ユニット２４には、上端を隅部軒樋ユニット２４内に開口させ、下端を地表面付近に開口させたドレンエルボ２８を取り付けてある。ドレンエルボ２８は、下側樋部材被覆部２６を貫通している。
【００２４】
以下、図１を参照しつつ、図２及び図３を用いて、軒先側軒樋１４の構成について説明する。
図２は、図１のＩＩ―ＩＩ線断面図であり、軒先側軒樋１４のうち、軒先側軒樋ユニット２０の内部に連結部材４を配置する部分の断面図である。また、図３は、図１のＩＩＩ―ＩＩＩ線断面図であり、軒先側軒樋１４のうち、内部に連結部材４を配置しない部分、すなわち、軒先側軒樋ユニット２０のみの断面図である。
【００２５】
図２及び図３中に示すように、軒先側軒樋ユニット２０は、下側樋部材３０と、上側樋部材３２とを備えている。なお、本実施形態では、軒先側軒樋ユニット２０が備える上側樋部材３２、すなわち、軒先側軒樋１４に配置する上側樋部材３２を、軒先上側樋部材３４と呼称して説明する。また、図２中に示すように、隣り合う軒先側軒樋ユニット２０同士を連結する連結部材４は、隣り合う軒先側軒樋ユニット２０の内部に、それぞれ、配置する。
【００２６】
下側樋部材３０及び軒先上側樋部材３４は、共にアルミニウムを用いて、例えば、２ｍ〜５ｍ程度の長さに形成している。
下側樋部材３０は、下側樋部材後面部３６と、下側樋部材底面部３８と、下側樋部材前面部４０とを備える。
下側樋部材後面部３６は、軒先側軒端１２に配置することにより、建物６の外壁面に対向させてある。また、下側樋部材後面部３６は、軒端取付け部４２と、連結部材取付け部４４と、上側樋部材取付け部４６と、係止部４８とを有している。
【００２７】
軒端取付け部４２は、軒先側軒端１２と接触させる接触部４２ａと、軒先側軒端１２の外面に対して傾斜させて離間させた傾斜部４２ｂとを備えている。傾斜部４２ｂは、上方から下方へ向かうにつれて軒先側軒端１２から離間するように傾斜させてある。また、傾斜部４２ｂには、ビス等の軒端固定手段５０を貫通させる軒端取付け孔５２を設けている。したがって、軒端取付け孔５２に貫通させる軒端固定手段５０は、軒先側軒端１２に対して傾斜させる。また、軒端取付け部４２のうち、傾斜部４２ｂの下方に配置する部分は、軒端取付け孔５２に貫通させる軒端固定手段５０の変形を抑制するガイドを形成する。
【００２８】
連結部材取付け部４４は、軒先側軒端１２から離間させてあり、軒端取付け部４２の下端部と連続させてある。また、連結部材取付け部４４には、ビス等の連結部材固定手段５４を貫通させる連結部材取付け孔５６を設けている。
上側樋部材取付け部４６は、軒端取付け部４２の軒先側軒端１２と反対側の面に連続させて形成してあり、軒先側軒端１２から離れる方向へ延在させてある。また、上側樋部材取付け部４６には、ビス等の上側樋部材固定手段５８を貫通させる上側樋部材取付け孔６０を設けている。
【００２９】
係止部４８は、連結部材取付け部４４の軒先側軒端１２と対向する面に連続させて形成してあり、軒先側軒端１２と連結部材取付け部４４との間に介装する支持部材６２と嵌合させて、支持部材６２の上方に配置する。支持部材６２には、ビス等の支持部材固定手段６４を貫通させる支持部材取付け孔６６を設けている。
下側樋部材底面部３８は、下側樋部材後面部３６の下端側に連続させて形成してあり、軒先側軒端１２から離れるにつれて上向きに傾斜させてある。
【００３０】
なお、本実施形態では、軒先側軒樋ユニット２０ａの下側樋部材底面部３８が、軒先側軒樋ユニット２０ｂの下側樋部材底面部３８よりも高くなるように、軒先側軒樋ユニット２０ａ，２０ｂを傾斜させている。また、軒先側軒樋ユニット２０ｂの下側樋部材底面部３８が、軒先側軒樋ユニット２０ｃの下側樋部材底面部３８よりも高くなるように、軒先側軒樋ユニット２０ｂ，２０ｃを傾斜させている。
【００３１】
これにより、ドレンエルボ２８を取り付ける隅部軒樋ユニット２４の底面を、軒先側軒樋ユニット２０ｃの下側樋部材底面部３８よりも低くして、隅部軒樋ユニット２４の底面を、軒先側軒樋１４の底面よりも低くする。
下側樋部材前面部４０は、下側樋部材底面部３８に連続させて形成するとともに、下側樋部材後面部３６よりも、軒先側軒端１２、すなわち、建物６の外周面から離間させてある。
以上により、下側樋部材３０は、断面凹溝状に形成してある。
【００３２】
軒先上側樋部材３４は、下側樋部材３０の上方に配置してあり、取付け部６８と、延在部７０とを備える。
取付け部６８は、上下方向から見て上側樋部材取付け部４６と重なる位置に配置してあり、上側樋部材固定手段５８を貫通させる上側樋固定部材貫通孔７２を設けている。上側樋固定部材貫通孔７２は、上下方向から見て上側樋部材取付け孔６０と重なる位置に形成する。したがって、軒先上側樋部材３４を下側樋部材３０に取り付ける際には、上側樋固定部材貫通孔７２及び上側樋部材取付け孔６０に上側樋部材固定手段５８を貫通させ、取付け部６８を下側樋部材後面部３６に取り付ける。なお、軒先上側樋部材３４を下側樋部材３０に取り付ける際には、接着や溶接等を用いてもよい。
【００３３】
延在部７０は、取付け部６８から下側樋部材前面部４０へ向けて延在させてあり、その長さを、下側樋部材前面部４０と延在部７０との間に空隙部７４を形成する長さとする。また、延在部７０は、下側樋部材前面部４０と対向する位置に、延在部側嵌合部７６を有している。延在部側嵌合部７６は、下側樋部材後面部３６側へオフセットする断面凹溝状に形成してある。
空隙部７４、すなわち、下側樋部材前面部４０と延在部７０との隙間は、例えば、１０ｍｍ程度としてあり、延在部７０に沿って流れてくる液体や、下側樋部材前面部４０から流れてくる液体を流入可能とし、且つ落ち葉等の異物が侵入しにくい隙間としている。
【００３４】
次に、図２を参照して、連結部材４の構成について説明する。
連結部材４は、下側樋部材３０及び軒先上側樋部材３４と同様、アルミニウムを用いて形成してあり、本体部７８と、係合部８０とを備えている。なお、本体部７８と係合部８０は、一体成形により形成している。
本体部７８は、下側樋部材３０の外形輪郭に倣う形状に形成してあり、本体部側後面部７８ａと、本体部側底面部７８ｂと、本体部側前面部７８ｃとを備えている。なお、本体部側後面部７８ａ、本体部側底面部７８ｂ及び本体部側前面部７８ｃは、一体成形により形成している。
本体部側後面部７８ａは、下側樋部材後面部３６に倣う形状に形成してあり、下側樋部材後面部３６よりも軒先側軒樋ユニット２０の内側に配置して、下側樋部材後面部３６と接触させてある。
【００３５】
また、本体部側後面部７８ａは、連結部材固定手段５４を貫通させる二箇所の連結固定部材貫通孔８２を設けている。二箇所の連結固定部材貫通孔８２は、それぞれ、隣り合う下側樋部材３０が有する連結部材取付け部４４に設けた連結部材取付け孔５６と、対応する位置に形成してある。したがって、隣り合う軒先側軒樋ユニット２０同士を連結する際には、二箇所の連結固定部材貫通孔８２及び連結部材取付け孔５６に、それぞれ、連結部材固定手段５４を貫通させて、本体部側後面部７８ａを下側樋部材後面部３６に取り付ける。これにより、連結部材４を、隣り合う軒先側軒樋ユニット２０が備える下側樋部材３０に取り付ける。
【００３６】
本体部側底面部７８ｂは、下側樋部材底面部３８に倣う形状に形成してあり、下側樋部材底面部３８よりも軒先側軒樋ユニット２０の内側に配置して、下側樋部材底面部３８と接触させてある。
本体部側前面部７８ｃは、下側樋部材前面部４０に倣う形状に形成してあり、下側樋部材前面部４０よりも軒先側軒樋ユニット２０の内側に配置して、下側樋部材前面部４０と接触させてある。
【００３７】
以上により、本体部７８は、下側樋部材３０と同様、断面凹溝状に形成してあるとともに、隣り合う軒先側軒樋ユニット２０同士を連結させている。すなわち、連結部材４は、隣り合う軒先側軒樋ユニット２０同士を連結させている。
係合部８０は、本体部側前面部７８ｃから下側樋部材後面部３６側へ突出させてあり、延在部７０に形成した延在部側嵌合部７６と嵌合させてある。
以上により、係合部８０は、本体部７８と延在部７０とを嵌合させている。
【００３８】
以下、図１から図３を参照しつつ、図４及び図５を用いて、けらば側軒樋１８の構成について説明する。
図４は、図１のＩＶ―ＩＶ線断面図であり、けらば側軒樋１８のうち、けらば側軒樋ユニット２２の内部に連結部材４を配置する部分の断面図である。また、図５は、図１のＶ―Ｖ線断面図であり、けらば側軒樋１８のうち、内部に連結部材４を配置しない部分、すなわち、けらば側軒樋ユニット２２のみの断面図である。
【００３９】
図４及び図５中に示すように、けらば側軒樋ユニット２２は、下側樋部材３０と、上側樋部材３２とを備えている。なお、本実施形態では、けらば側軒樋ユニット２２が備える上側樋部材３２、すなわち、けらば側軒樋１８に配置する上側樋部材３２を、けらば上側樋部材８４と呼称して説明する。したがって、本実施形態では、上側樋部材３２を、軒先側軒端１２に配置する軒先上側樋部材３４と、けらば側軒端１６に配置するけらば上側樋部材８４とに区分する。また、図４中に示すように、隣り合うけらば側軒樋ユニット２２同士を連結する連結部材４は、隣り合うけらば側軒樋ユニット２２の内部に、それぞれ、配置する。
【００４０】
下側樋部材３０及び連結部材４の構成は、軒先側軒樋ユニット２０が備える下側樋部材３０及び連結部材４の構成と同様であるため、その説明を省略する。
けらば上側樋部材８４は、軒先上側樋部材３４と同様、下側樋部材３０の上方に配置してあり、取付け部６８と、延在部７０と、屋根材被覆部８６とを備えている。したがって、屋根材被覆部８６は、軒先上側樋部材３４及びけらば上側樋部材８４のうち、けらば上側樋部材８４のみに備えてある。
【００４１】
取付け部６８及び延在部７０の構成は、軒先上側樋部材３４が備える取付け部６８及び延在部７０の構成と同様であるため、その説明を省略する。
屋根材被覆部８６は、延在部７０の上方に配置してあり、下側樋部材前面部４０側から見て、けらば側軒端１６上に敷設した屋根材１０の端部を覆う形状に形成してある。具体的には、屋根材被覆部８６は、屋根材１０側が開口し、且つこの開口部に屋根材１０の端部を配置する断面凹溝状に形成してある。なお、屋根材被覆部８６と延在部７０は、一体成形により形成している。
【００４２】
図６は、図１中に円ＶＩで囲んだ範囲の拡大図である。
図６中に示すように、軒先側軒樋１４とけらば側軒樋１８との連結部分においては、けらば上側樋部材８４が備える屋根材被覆部８６の端部を、隅部軒樋ユニット２４側へ向けて開口させてある。
図７は、軒樋１の一部を分解した状態を示す斜視図である。なお、図７中では、説明のために、ドレンエルボ２８の図示を省略している。
図７中に示すように、隅部軒樋ユニット２４は、軒先側軒樋ユニット２０ｃが備える下側樋部材３０と、けらば側軒樋ユニット２２ｂが備える下側樋部材３０との間に介装して、軒先側軒樋１４とけらば側軒樋１８とを連結する。したがって、隅部軒樋ユニット２４は、直角または略直角に形成してある点と、上側樋部材３２を備えていない点を除き、下側樋部材３０と同様の構成を有する。具体的には、下側樋部材３０と同様、下側樋部材後面部３６と、下側樋部材底面部３８と、下側樋部材前面部４０とを備える。また、下側樋部材３０と同様、断面凹溝状に形成してある。以上により、図中及び以降の説明では、隅部軒樋ユニット２４に関しても、下側樋部材３０と同様、下側樋部材後面部３６と、下側樋部材底面部３８と、下側樋部材前面部４０とを備える構成とする。なお、隅部軒樋ユニット２４は、軒先側軒樋ユニット２０及びけらば側軒樋ユニット２２と同様、アルミニウムを用いて形成してある。
【００４３】
軒先側軒樋ユニット２０ｃと隅部軒樋ユニット２４とを連結させる連結部材４ｄは、二箇所の固定部８８ａ，８８ｂと、伸縮部９０とを備える。
各固定部８８ａ，８８ｂは、隅部軒樋ユニット２４と同様、アルミニウムを用いて形成してある。
また、各固定部８８ａ，８８ｂは、連結部材４が備える本体部７８と同様、下側樋部材３０の外形輪郭に倣う形状に形成してある。
固定部８８ａは、伸縮部９０よりも軒先側軒樋ユニット２０ｃ側に配置してあり、溶接により、軒先側軒樋ユニット２０ｃに固定してある。なお、固定部８８ａの、連結部材取付け孔５６と対応する位置に貫通孔を形成し、この貫通孔に連結部材固定手段５４を貫通させて、固定部８８ａを軒先側軒樋ユニット２０ｃに固定させてもよい。
【００４４】
固定部８８ｂは、伸縮部９０よりも隅部軒樋ユニット２４側に配置してあり、溶接により、隅部軒樋ユニット２４、すなわち、軒先側軒樋ユニット２０ｃが備える下側樋部材３０と同様の構成を有する部材に固定してある。なお、固定部８８ａと同様、固定部８８ｂの、連結部材取付け孔５６と対応する位置に貫通孔を形成し、この貫通孔に連結部材固定手段５４を貫通させて、固定部８８ｂを隅部軒樋ユニット２４に固定させてもよい。
【００４５】
伸縮部９０は、ゴム等の弾性体を用いて形成してあり、各固定部８８ａ，８８ｂに、それぞれ接着することにより、二箇所の固定部８８ａ，８８ｂ同士を連結している。伸縮部９０の伸縮方向は、主に、二箇所の固定部８８ａ，８８ｂの配列方向へ向けてある。なお、伸縮部９０は、弾性体を用いて形成してあるため、伸縮部９０の伸縮方向は、二箇所の固定部８８ａ，８８ｂの配列方向以外、例えば、固定部８８ａ，８８ｂの配列方向と直交する方向にも向いている。
【００４６】
下側樋部材被覆部２６は、隅部軒樋ユニット２４と同様、アルミニウムを用いて形成してあり、互いに直交または略直交させた、軒先側被覆部９２と、けらば側被覆部９４とを備えている。
軒先側被覆部９２は、隅部軒樋ユニット２４よりも軒先側軒樋ユニット２０ｃ側へ突出させてあり、軒先側底面部９２ａと、軒先側前面部９２ｂとを備えている。
軒先側底面部９２ａは、隅部軒樋ユニット２４の下側樋部材底面部３８と接触させてある。一方、軒先側前面部９２ｂは、隅部軒樋ユニット２４の下側樋部材前面部４０と接触させてある。
【００４７】
軒先側底面部９２ａの軒先側軒樋ユニット２０ｃに沿った長さは、隅部軒樋ユニット２４、連結部材４ｄ及び軒先側軒樋ユニット２０ｃの連結部材４ｄ側の端部を、下側樋部材底面部３８側から見て覆う長さとしてある。
すなわち、軒先側底面部９２ａは、連結部材４ｄ、連結部材４ｄが連結する軒先側軒樋ユニット２０ｃ及び隅部軒樋ユニット２４の連結部材４ｄ側の端部を、下側樋部材底面部３８側から見て覆う。
軒先側前面部９２ｂの軒先側軒樋ユニット２０ｃに沿った長さは、隅部軒樋ユニット２４、連結部材４ｄ及び軒先側軒樋ユニット２０ｃの連結部材４ｄ側の端部を、下側樋部材前面部４０側から見て覆う長さとしてある。
【００４８】
すなわち、軒先側前面部９２ｂは、連結部材４ｄ、連結部材４ｄが連結する軒先側軒樋ユニット２０ｃ及び隅部軒樋ユニット２４の連結部材４ｄ側の端部を、下側樋部材前面部４０側から見て覆う。
けらば側被覆部９４は、隅部軒樋ユニット２４よりもけらば側軒樋ユニット２２ｂ側へ突出させてあり、けらば側底面部９４ａと、けらば側前面部９４ｂとを備えている。
【００４９】
けらば側底面部９４ａは、軒先側底面部９２ａと同様、隅部軒樋ユニット２４の下側樋部材底面部３８と接触させてある。一方、けらば側前面部９４ｂは、軒先側前面部９２ｂと同様、隅部軒樋ユニット２４の下側樋部材前面部４０と接触させてある。
けらば側底面部９４ａのけらば側軒樋ユニット２２ｂに沿った長さは、隅部軒樋ユニット２４、連結部材４ｅ及びけらば側軒樋ユニット２２ｂの連結部材４ｅ側の端部を、下側樋部材底面部３８側から見て覆う長さとしてある。
【００５０】
すなわち、けらば側底面部９４ａは、連結部材４ｅ、連結部材４ｅが連結するけらば側軒樋ユニット２２ｂ及び隅部軒樋ユニット２４の連結部材４ｅ側の端部を、下側樋部材底面部３８側から見て覆う。
けらば側前面部９４ｂのけらば側軒樋ユニット２２ｂに沿った長さは、隅部軒樋ユニット２４、連結部材４ｅ及びけらば側軒樋ユニット２２ｂの連結部材４ｅ側の端部を、下側樋部材前面部４０側から見て覆う長さとしてある。
【００５１】
すなわち、けらば側前面部９４ｂは、連結部材４ｅ、連結部材４ｅが連結するけらば側軒樋ユニット２２ｂ及び隅部軒樋ユニット２４の連結部材４ｅ側の端部を、下側樋部材前面部４０側から見て覆う。
以上により、下側樋部材被覆部２６は、下側樋部材前面部４０側及び下側樋部材底面部３８側から見て、連結部材４ｄ，４ｅを覆う。また、下側樋部材被覆部２６は、下側樋部材前面部４０側及び下側樋部材底面部３８側から見て、軒先側軒樋ユニット２０ｃ及び隅部軒樋ユニット２４の連結部材４ｄ側の端部と、けらば側軒樋ユニット２２ｂ及び隅部軒樋ユニット２４の連結部材４ｅ側の端部を覆う。
【００５２】
また、けらば側軒樋ユニット２２ｂは、二つのけらば上側樋部材８４ａ，８４ｂと、けらば包み９６を備えている。なお、けらば側軒樋ユニット２２ｂの構成は、これに限定するものではなく、一つのけらば上側樋部材８４を備えるとともに、けらば包み９６を備えていない構成としてもよい。また、図中及び以降の説明では、二つのけらば上側樋部材８４を、図７中の上側から、けらば上側樋部材８４ａ，けらば上側樋部材８４ｂと記載する。
【００５３】
けらば上側樋部材８４ａとけらば上側樋部材８４ｂは、けらば側軒樋ユニット２２ｂの長さ方向に沿って配列させてあり、溶接により、対向する端部同士を連結させてある。
けらば包み９６は、けらば上側樋部材８４ａとけらば上側樋部材８４ｂの外形輪郭に倣う形状に形成してある。また、けらば包み９６は、接着により、けらば上側樋部材８４ａとけらば上側樋部材８４ｂとの連結部を、下側樋部材前面部４０側から見て覆うように、けらば上側樋部材８４ａ，８４ｂに取り付ける。
【００５４】
（作用）
次に、図１から図７を参照しつつ、上記の構成を備えた軒樋１の作用を説明する。なお、以下の説明では、屋根８や軒樋１を流れる液体を、雨水とするが、屋根８や軒樋１を流れる液体は、これに限定するものではなく、例えば、屋根８の洗浄に用いる水道水としてもよい。
軒樋１を軒端に配置した建物６の所在地において降雨が生じると、屋根８、具体的には屋根材１０上に降る雨水が、屋根材１０上から軒先側軒樋１４及びけらば側軒樋１８へ流れる（図１参照）。
また、軒樋１を軒端に配置した建物６の所在地において降雨が生じると、軒先上側樋部材３４及びけらば上側樋部材８４上に雨水が降る（図２から図５参照）。
【００５５】
以下、屋根材１０から軒先側軒樋１４へ向けて流れる雨水と、軒先上側樋部材３４上に降る雨水について説明する。
屋根材１０から軒先側軒樋１４へ向けて流れる雨水は、軒先側軒樋ユニット２０が備える軒先上側樋部材３４、具体的には、取付け部６８から延在部７０に沿って流れ、延在部７０の端部から空隙部７４へ流入する（図２及び図３参照）。
【００５６】
同様に、軒先上側樋部材３４上へ降る雨水は、屋根８の傾斜に沿って軒先上側樋部材３４上を流れ、延在部７０の端部から空隙部７４へ流入する（図２及び図３参照）。
また、取付け部６８から延在部７０に沿って流れ、延在部７０の端部から空隙部７４へ流入し、連結部材４上を流れる雨水は、軒先側軒樋ユニット２０のうち、内部に連結部材４を配置しない部分から、空隙部７４へ流入する（図２及び図３参照）。
【００５７】
空隙部７４へ流入する雨水は、軒先側軒樋ユニット２０の内部へ流入し、下側樋部材底面部３８を流れる（図２及び図３参照）。
このとき、ドレンエルボ２８を取り付ける隅部軒樋ユニット２４の底面（下側樋部材底面部３８）は、各軒先側軒樋ユニット２０ａ〜２０ｃを傾斜させることにより、軒先側軒樋１４の下側樋部材底面部３８よりも低くしてある（図１参照）。
【００５８】
これにより、軒先側軒樋ユニット２０の内部へ流入し、軒先側軒樋ユニット２０の下側樋部材底面部３８を流れる雨水は、隅部軒樋ユニット２４の下側樋部材底面部３８へ流れ、ドレンエルボ２８を通じて地表面へ落下する（図１参照）。
次に、屋根材１０からけらば側軒樋１８へ向けて流れる雨水と、けらば上側樋部材８４上に降る雨水について説明する。
【００５９】
屋根材１０からけらば側軒樋１８へ向けて流れる雨水は、けらば側軒樋ユニット２２が備えるけらば上側樋部材８４、具体的には、延在部７０上を、けらば側軒樋ユニット２２の長さ方向に沿って流れ、屋根材被覆部８６の端部へ向けて移動する（図１、図４及び図５参照）。
屋根材被覆部８６の端部へ向けて移動する雨水は、屋根材被覆部８６の端部に達すると、隅部軒樋ユニット２４側へ向けて開口させてある開口部から、隅部軒樋ユニット２４へ向けて流れる（図６参照）。
【００６０】
これにより、屋根材１０からけらば側軒樋１８へ流れ、延在部７０上を屋根材被覆部８６の端部へ向けて移動する雨水は、隅部軒樋ユニット２４の下側樋部材底面部３８へ流れ、ドレンエルボ２８を通じて地表面へ落下する（図１参照）。
一方、けらば上側樋部材８４上、具体的には、屋根材被覆部８６の上面へ降る雨水は、屋根８の傾斜に沿って屋根材被覆部８６上を流れ、屋根材被覆部８６から空隙部７４へ流入する（図４及び図５参照）。
【００６１】
また、屋根材被覆部８６から空隙部７４へ流入し、連結部材４上を流れる雨水は、けらば側軒樋ユニット２２のうち、内部に連結部材４を配置しない部分から、空隙部７４へ流入する（図４及び図５参照）。
空隙部７４へ流入する雨水は、けらば側軒樋ユニット２２の内部へ流入し、下側樋部材底面部３８を流れる（図４及び図５参照）。
このとき、各けらば側軒樋ユニット２２ａ，２２ｂは、屋根８の傾斜に応じて、地表面に対して傾斜している（図１参照）。
これにより、けらば側軒樋ユニット２２の内部へ流入し、けらば側軒樋ユニット２２の下側樋部材底面部３８を流れる雨水は、隅部軒樋ユニット２４の下側樋部材底面部３８へ流れ、ドレンエルボ２８を通じて地表面へ落下する（図１参照）。
【００６２】
（効果）
したがって、本実施形態の軒樋ユニット２であれば、下側樋部材３０の上方に配置する上側樋部材３２が、下側樋部材後面部３６に取り付ける取付け部６８と、取付け部６８から下側樋部材前面部４０へ向けて延在する延在部７０とを備えている。また、下側樋部材前面部４０と延在部７０との間に、空隙部７４を形成する。
このため、下側樋部材後面部３６と下側樋部材前面部４０との間に形成する隙間を、延在部７０によって減少させることが可能となるとともに、延在部７０を流れる雨水を、空隙部７４から下側樋部材３０の内部へ流入させることが可能となる。
【００６３】
その結果、軒樋１内部への、異物の侵入を抑制することが可能となるとともに、延在部７０を流れる雨水を、空隙部７４から下側樋部材３０の内部へ流入させることが可能となる。このため、軒樋１内部において、雨水を円滑に移動させることが可能となる。
また、本実施形態の軒樋ユニット２であれば、軒樋ユニット２の構成を、断面凹溝状に形成した下側樋部材３０と、下側樋部材３０の上方に配置する上側樋部材３２とを備える構成とする。
【００６４】
このため、下側樋部材３０及び上側樋部材３２の形状を簡略化することが可能となり、空隙部７４を除いた中空閉断面となる形状の軒樋ユニット２を、一体成形で形成した場合と比較して、容易に形成することが可能となる。
その結果、軒樋ユニット２の製造工程を簡略化することが可能となるため、軒樋ユニット２の製造効率を向上させることが可能となる。
さらに、本実施形態の軒樋１であれば、軒先側軒樋１４を、下側樋部材３０と軒先上側樋部材３４を備えた構成とするとともに、けらば側軒樋１８を、下側樋部材３０とけらば上側樋部材８４備えた構成とする。
このため、軒先側軒樋１４及びけらば側軒樋１８を形成する際に、下側樋部材３０を共用することが可能となる。
【００６５】
その結果、軒樋ユニット２及び軒樋１の製造コストを低減させることが可能となるとともに、軒樋ユニット２及び軒樋１の製造効率を向上させることが可能となる。
また、本実施形態の軒樋１であれば、上側樋部材３２のうち、けらば側の軒端に配置するけらば上側樋部材８４のみが、下側樋部材前面部４０側から見て、けらば側軒端１６上に敷設した屋根材１０の端部を覆う、屋根材被覆部８６を備える。
【００６６】
このため、切妻屋根が備える軒先側軒端１２及びけらば側軒端１６のうち、屋根材１０の端部が、軒先側軒端１２よりも外部から目視される、けらば側軒端１６上に敷設した屋根材１０の端部を、屋根材被覆部８６により隠すことが可能となる。
その結果、屋根材被覆部８６を、化粧部材として用いることが可能となるため、軒樋ユニット２を含めた屋根８全体の外観意匠性を向上させることが可能となる。
【００６７】
また、屋根材被覆部８６により、屋根材１０の端部を風雨等から保護することが可能となるため、屋根材１０の耐久性を向上させることが可能となる。これにより、屋根８の補修コストを低減させることが可能となる。
さらに、軒先上側樋部材３４及びけらば上側樋部材８４の両方に屋根材被覆部８６を備える場合と比較して、軒樋ユニット２の製造コストを低減することが可能となるとともに、軒樋ユニット２の製造効率を向上させることが可能となる。
【００６８】
また、本実施形態の軒樋１であれば、軒先側軒樋ユニット２０ｃと隅部軒樋ユニット２４とを連結させる連結部材４ｄが、軒先側軒樋ユニット２０ｃに固定する固定部８８ａと、隅部軒樋ユニット２４に固定する固定部８８ｂとを備える。さらに、連結部材４ｄが、固定部８８ａ，８８ｂ同士を連結するとともに、主に二箇所の固定部８８ａ，８８ｂの配列方向に伸縮する伸縮部９０を備える。
【００６９】
このため、アルミニウムで形成した、軒先側軒樋ユニット２０が備える下側樋部材３０が、加熱や冷却により温度が変化して長さ方向へ伸縮しても、この収縮を、伸縮部９０の伸縮によって吸収することが可能となる。
その結果、軒先側軒樋ユニット２０の耐久性を向上させることが可能となるとともに、軒先側軒樋ユニット２０の使用条件を拡大させることが可能となる。これにより、軒樋１の耐久性を向上させることが可能となるとともに、軒樋１の使用条件を拡大させることが可能となる。
【００７０】
また、本実施形態の軒樋１であれば、下側樋部材前面部４０側及び下側樋部材底面部３８側から見て、連結部材４ｄと、軒先側軒樋ユニット２０ｃ及び隅部軒樋ユニット２４の連結部材４ｄ側の端部とを覆う、下側樋部材被覆部２６を備えている。
このため、伸縮部９０が伸縮して、軒先側軒樋ユニット２０ｃと隅部軒樋ユニット２４との間に隙間が形成されても、この隙間を、下側樋部材被覆部２６によって隠すことが可能となる。また、下側樋部材３０と固定部８８との間に、溶接跡等、外観上好ましくない部位を形成している場合であっても、この部位を、下側樋部材被覆部２６によって隠すことが可能となる。
その結果、軒樋ユニット２及び軒樋１を含めた、屋根８全体の外観意匠性を向上させることが可能となる。
【００７１】
（応用例）
なお、本実施形態の軒樋ユニット２では、上側樋部材３２を、下側樋部材後面部３６に取り付けたが、これに限定するものではなく、上側樋部材３２を、軒先側軒端１２またはけらば側軒端１６等、建物６に直接取り付けてもよい。
また、本実施形態の軒樋ユニット２では、屋根材被覆部８６を、軒先上側樋部材３４及びけらば上側樋部材８４のうち、けらば上側樋部材８４のみに備えたが、これに限定するものではなく、屋根材被覆部８６を、軒先上側樋部材３４に備えてもよい。
【００７２】
さらに、本実施形態の軒樋ユニット２では、上側樋部材３２の構成を、屋根材被覆部８６を備える構成としたが、これに限定するものではなく、上側樋部材３２の構成を、屋根材被覆部８６を備えていない構成としてもよい。もっとも、本実施形態の軒樋ユニット２のように、上側樋部材３２の構成を、屋根材被覆部８６を備える構成とすることが、軒樋ユニット２を含めた屋根８全体の外観意匠性を向上させることが可能となるため、好適である。
【００７３】
また、本実施形態の軒樋１では、連結部材４ａ〜４ｅのうち、軒先側軒樋ユニット２０ｃと隅部軒樋ユニット２４とを連結させる連結部材４ｄのみの構成を、二箇所の固定部８８ａ，８８ｂと、伸縮部９０とを備える構成としたが、これに限定するものではない。すなわち、連結部材４ａ〜４ｅのうち、連結部材４ｄ以外の連結部材４を、二箇所の固定部８８ａ，８８ｂと、伸縮部９０とを備える構成としてもよい。
【００７４】
また、本実施形態の軒樋１では、下側樋部材被覆部２６を備える構成としたが、これに限定するものではなく、下側樋部材被覆部２６を備えていない構成としてもよい。もっとも、本実施形態の軒樋１のように、下側樋部材被覆部２６を備える構成とすることが、軒樋ユニット２及び軒樋１を含めた、屋根８全体の外観意匠性を向上させることが可能となるため、好適である。
【００７５】
また、本実施形態の軒樋１では、下側樋部材被覆部２６を、隅部軒樋ユニット２４の外周側に取り付けたが、これに限定するものではない。すなわち、下側樋部材被覆部２６を、例えば、軒先側軒樋ユニット２０ｂと軒先側軒樋ユニット２０ｃとの連結部分を覆うように、軒先側軒樋ユニット２０ｂ及び軒先側軒樋ユニット２０ｃの外周側に取り付けてもよい。
また、本実施形態の軒樋１では、建物６の屋根８を、切妻屋根としたが、これに限定するものではなく、建物６の屋根８を、例えば、入母屋屋根等、切妻屋根以外の屋根としてもよい。
【００７６】
また、本実施形態の軒樋１では、軒先側軒樋１４とけらば側軒樋１８を、隅部軒樋ユニット２４を介して連結したが、これに限定するものではなく、軒先側軒樋１４及びけらば側軒樋１８を、それぞれ、独立して、軒先側軒端１２及びけらば側軒端１６に配置してもよい。
また、本実施形態の軒樋１では、建物６を、地表面に対して傾斜した屋根８を有する家屋としたが、これに限定するものではなく、建物６を、地表面に平行な屋根８を有する家屋としてもよい。
【図面の簡単な説明】
【００７７】
【図１】本発明の軒樋ユニットを連結部材で連結して形成する軒樋を、建物の軒端に配置した状態を示す図である。
【図２】図１のＩＩ―ＩＩ線断面図である。
【図３】図１のＩＩＩ―ＩＩＩ線断面図である。
【図４】図１のＩＶ―ＩＶ線断面図である。
【図５】図１のＶ―Ｖ線断面図である。
【図６】図１中に円ＶＩで囲んだ範囲の拡大図である。
【図７】軒樋の一部を分解した状態を示す斜視図である。
【図８】従来例の軒樋及び軒樋ユニットを示す斜視図である。
【図９】従来例の軒樋を示す斜視図である。
【図１０】図９のＸ−Ｘ線断面図である。
【符号の説明】
【００７８】
１    軒樋
２    軒樋ユニット
４    連結部材
６    建物
８    屋根
１０  屋根材
１２  軒先側軒端
１４  軒先側軒樋
１６  けらば側軒端
１８  けらば側軒樋
２０  軒先側軒樋ユニット
２２  けらば側軒樋ユニット
２４  隅部軒樋ユニット
２６  下側樋部材被覆部
３０  下側樋部材
３２  上側樋部材
３４  軒先上側樋部材
３６  下側樋部材後面部
３８  下側樋部材底面部
４０  下側樋部材前面部
６８  取付け部
７０  延在部
７４  空隙部
８４  けらば上側樋部材
８６  屋根材被覆部
８８  固定部
９０  伸縮部
【図１】
0005209350.tif 000002
【図２】
0005209350.tif 000003
【図３】
0005209350.tif 000004
【図４】
0005209350.tif 000005
【図５】
0005209350.tif 000006
【図６】
0005209350.tif 000007
【図７】
0005209350.tif 000008
【図８】
0005209350.tif 000009
【図９】
0005209350.tif 000010
【図１０】
0005209350.tif 000011